(57)【要約】      （修正有）【課題】広い面積で美観に優れた広告等の表示を行うことができ、フロアグラフィックスのような難しい設置作業が不要であり、履物の踏みつけに対する耐久性を備えるフロアマットを提供する。【解決手段】基材の表面にプリント層を形成し、プリント層の表面に第１の樹脂層を形成し、第１の樹脂層の表面に第１の樹脂層の一部又は全部を覆うフォログラム層を形成し、第１の樹脂層の上に前記フォログラム層を挟んで第２の樹脂層が形成されたグラフィックシート１０を、ゴムシート２の上に接合してフロアマット１を構成する。【選択図】図１
0003151553.tif 000002
【実用新案登録請求の範囲】
【請求項１】
基材の表面にプリント層を形成し、前記プリント層の表面に第１の樹脂層を形成し、前記第１の樹脂層の表面に前記第１の樹脂層の一部又は全部を覆うフォログラム層を形成し、前記第１の樹脂層の上に前記フォログラム層を挟んで第２の樹脂層が形成されたグラフィックシートを、ゴムシートの上に接合されたフロアマット。
【請求項２】
前記グラフィックシートが、前記ゴムシートの上からはみ出さずに前記ゴムシートの上に配置され、前記グラフィックシートの上面と前記ゴムシートの上面が段差無く接合されている、請求項１記載のフロアシート。
【考案の詳細な説明】
【技術分野】
【０００１】
本考案は、美観に優れた表示が施されたフロアマットに関するものである。
【背景技術】
【０００２】
例えば、各種店舗において、広告目的や顧客の店内誘導等を目的に、店内のフロアに各種グラビアや文字による情報等を表示するために、フロアグラフィックスをフロアに貼着することが行われている。
【０００３】
従来のフロアグラフィックスとしては、各種基材の上にプリント層を設け、プリント層の上に、ラミネートを施したり、トップコート層を塗布等の方法により設けたりしたものが一般的であった。
【０００４】
このようなフロアグラフィックスは、裏面に貼着糊を塗布する方法や、両面テープを用いる方法により、フロアに貼着して施工される。
【０００５】
しかし、フロアグラフィックスの床面への貼着施工を美しく行うことは容易でなく、特に貼着糊を用いた施工は難しいため専らプロの職人によって行われている。また、一旦フロアに貼着されたフロアグラフィックスの剥離作業も容易ではなく、貼着糊を用いて施工した場合には剥離時にフロアグラフィックスが破損することが多く、事実上、フロアグラフィックスの移設は不可能であった。また、フロアの材質によっては貼着糊による貼着が困難な場合もあり、フロアグラフィックスを使用できる場所が限られている点でも問題がある。
【０００６】
さらに、ラミネートにより作成されたフロアグラフィックスにおいては、その製法から幅寸法には自ずと制限があり、１３００ｍｍ幅が最大であり、例えば絵柄が複数に分割され、施工後の絵柄等の合わせに完全を期し難いという問題もあった。
【０００７】
上記のようにフロアグラフィックスは貼着作業が難しく再利用しにくいことから、フロアグラフィックス以外の方法により図形や文字情報をフロアに表示する方法も提案されている。かかる方法としては、マット上に文字情報や画像情報を表示する方法が挙げられる。
【０００８】
このようなマットとしては、ゴム製ベースに載せた足拭き材に対して、図形等を画像として印刷表示した装飾体を着脱可能とした、建造物等の出入り口に設置される足拭き用のマット（特許文献１）や、マットの一部分が本体とは別に取り付け、取り外しを自在にできる構造であり、取り付け取り外しできる部分に、文字や図形で広告宣伝的表示を入れることが可能な足拭き用のマット（特許文献２）等が提案されている。
【先行技術文献】
【特許文献】
【０００９】
【特許文献１】実用新案登録第３０８８３４１号公報
【特許文献２】実開平７−１４４７２号公報
【考案の概要】
【考案が解決しようとする課題】
【００１０】
しかし、特許文献１及び特許文献２に提案されるようなマットは、基本的には足拭きマットであり、履物に付着した土砂を落とすために合成繊維等からなる織物、パイル材、不織布等をマット上面に配置する必要があり、美観に優れた広告等の表紙を行うことが難しい。また、広告等の表示面積も限られるため、顧客誘引効果等の点で問題がある。そして、広告等の表示部分は着脱可能な状態でフロアマット上に設置されているため、履物に付着した土砂をマットにより落とす際に、広告等の表示部分が容易にフロアマットから外れてしまう場合がある。
【００１１】
本考案は上記問題に鑑みてなされたもので、広い面積で美観に優れた広告等の表示を行うことができ、フロアグラフィックスのような難しい設置作業が不要であり、履物の踏みつけに対する耐久性を備えるフロアマットを提供することを目的とする。
【課題を解決するための手段】
【００１２】
上記目的を達成するため、請求項１記載の考案は、基材の表面にプリント層を形成し、前記プリント層の表面に第１の樹脂層を形成し、前記第１の樹脂層の表面に前記第１の樹脂層の一部又は全部を覆うフォログラム層を形成し、前記第１の樹脂層の上に前記フォログラム層を挟んで第２の樹脂層が形成されたグラフィックシートを、ゴムシートの上に接合してフロアマットを構成したことを特徴とする。
【００１３】
請求項２記載の発明は、請求項１記載の前記グラフィックシートを、前記ゴムシートの上からはみ出さずに前記ゴムシートの上に配置し、前記グラフィックシートの上面と前記ゴムシートの上面が段差無く接合されていることを特徴とする。
【考案の効果】
【００１４】
本考案によれば、面積の制限無くフロアマットのほぼ全面に広告等の表示を行うことができ、グラフィックシートの構成の一部にフォログラム層を設けたことにより、従来のフロアグラフィックスよりも美観に優れた表示を行うことができる。また、広告等の表示部分（グラフィックシート）がフロアマットのほぼ全面に強固に接合されているため、履物に踏みつけられることにより容易にゴムシートから剥離することを抑制する。さらに、ゴムシートをベースとするフロアマットであるため、設置の際の貼着作業が不要であり、設置場所も制限されない。
【図面の簡単な説明】
【００１５】
【図１】本考案の一実施形態のグラフィックシート１０とゴムシート２の接合方法を示す図である。
【図２】本考案の一実施形態のグラフィックシート１０の構成を示す断面図である。
【考案を実施するための形態】
【００１６】
以下に本考案の実施の形態を添付図面に基づいて説明する。
【００１７】
図１は本考案に係るフロアマット１の製造方法の概略を示す図であり、フロアマット１は、ゴムシート２の上にグラフィックシート１０を接合して構成される。
【００１８】
図２は本考案に係るフロアマット１の製造に用いるグラフィックシート１０の層構成を示す断面図であり、グラフィックシート１０は、基材１１の表面にプリント層１２を形成し、プリント層１２の表面に第１の樹脂層１３を形成し、第１の樹脂層１３の表面に第１の樹脂層１３の一部又は全部を覆うフォログラム層１４を形成し、フォログラム層１４の上にグラフィックシート１０の全表面を覆う第２の樹脂層１５を形成され構成される
【００１９】
基材１１はＦＦ（内照用の透過原反）、ターポリン、キャンバス等の生地素材で構成される。基材１１の表面に、インクジェットプリント、シルクスクリーン印刷、グラビア印刷等のビジュアル定着法によって所定の絵柄等のプリントが施されてプリント層１２が形成されている。
【００２０】
プリント層１２の表面には第１の樹脂層１３が形成される。第１の樹脂層１３は、液体状の第１のコーティング剤をプリント層１２の上に塗布した後これを乾燥することにより形成される。第１のコーティング剤をプリント層１２の上に塗布する方法は特に限定されないが、塗布ガンを用いたスプレーガン方式によって液状態の第１のコーティング剤を噴霧して塗布するのがよい。スプレーガン方式は作業効率の点で好ましい。ここで、塗布ガンとしては、チロン社製の低圧ブロアーが使用され、その先端には口径φ２ｍｍのノズルが取り付けられる。第１のコーティング剤としては、２液性のウレタンコーティング剤、具体的には日本孔版印刷株式会社製ＪＫ２０００（主剤８：硬化剤１：専用シンナー４）からシンナーを抜いたものが使用される。
【００２１】
第１の樹脂層１３を形成する上述のウレタンコーティング剤は、撹拌して２０〜３０分放置された後、塗布ガンによって基材１１の表面のプリント層１２の上に約０．３ｋｇ／ｃｍ２の圧力で噴霧される。すると、ウレタンコーティング剤が塗布ガンのノズルから蜘蛛の巣状に噴射されてプリント層１２の上に付着し、その一部はプリント層１２に浸透する。そして、この作業を反復した後にウレタンコーティング剤を乾燥させることによって第１の樹脂層１３が形成される。
【００２２】
尚、この場合のウレタンコーティング剤の塗布量としては、主剤１３６ｃｃ／ｍ２、硬化剤１８ｃｃ／ｍ２が目安とされる。また、乾燥時間は常温下で約８時間、６０℃の雰囲気中で約２時間とされる。
【００２３】
以上のように第１の樹脂層１３を形成した後に、第１の樹脂層１３の表面にフォログラム層１４が形成される。フォログラム層１４にはＰＥＴ、ポリプロピレン、ポリエチレン等の樹脂材料を用いたシート又はフィルムの表面にエンボス加工等の方法によってフォログラムパターンを形成したフォログラムシート又はフォログラムフィルムを使用する。フォログラムシート又はフォログラムフィルムは片面に粘着層が形成されている市販されるものを使用することができる。フォログラム層１４は、粘着層を有するフォログラムシート又はフォログムフィルムを第１の樹脂層１３の上に貼付けることにより形成することができる。
【００２４】
フォログラム層１４は、第１の樹脂層１３の全面を覆うように設けてもよく、プリント層１２の図案上の視覚効果を与えたい任意の部分に設けてもよい。
【００２５】
フォログラム層１４を形成した後に、第１の樹脂層１３の上にフォログラム層１４を挟み第２の樹脂層１５が形成される。第２の樹脂層１５は、フォログラム層１４が第１の樹脂層１３の全面を覆うものであるか否かによらず、グラフィックシート１０の全面を覆うように第２のコーティング剤を塗布して形成される。ここで、第２のコーティング剤としては、シリコン又はフッ素、或はその両方を含有した耐擦傷性コーティング剤、具体的には日本孔版印刷株式会社製ＪＫ２（主剤２：硬化剤１）が使用される。また、第２のコーティング剤の塗布は塗布ガンを用いたスプレーガン方式により行われるのがよく、塗布ガンの先端には口径φ１ｍｍのノズルが取り付けられる。
【００２６】
第２の樹脂層１５を形成する上述の耐擦傷性コーティング剤は、撹拌して１０分放置された後、塗布ガンによってフォログラム層１４の上に約０．３ｋｇ／ｃｍ２の圧力で噴霧され。すると、耐擦傷性コーティング剤が塗布ガンのノズルから蜘蛛の巣状に噴射されてフォログラム層１４の上に付着し、この作業を反復した後に耐擦傷性コーティング剤を乾燥させることによって第２の樹脂層１５が形成される。尚、この場合の耐擦傷性コーティング剤の塗布量としては、主剤１００ｃｃ／ｍ２、硬化剤５０ｃｃ／ｍ２が目安とされる。
【００２７】
以上のようにして、基材１１の上に、プリント層１２、第１の樹脂層１３、フォログラム層１４、及び、第２の樹脂層１５が形成されたグラフィックシート１０は、ゴムシート２上に配置され接合される。
【００２８】
グラフィックシート１０とゴムシート２との接合は加熱圧着により行われる。図２は、グラフィックシート１０とゴムシート２を加熱圧着により接合する工程の模式図であり、加熱圧着はゴムシート２の上にグラフィックシート１０を配置した後に、ヒートプレス機等により１５０〜２００℃で行われる。
【００２９】
グラフィックシート１０とゴムシート２との加熱圧着は、グラフィックシート１０とゴムシート２が十分な強度で接合されていればよい。グラフィックシート１０はゴムシート２からはみ出さずにゴムシート２上に配置され、グラフィックシート１０の上面とゴムシート２の上面の段差がない状態で接合されるのが好ましい。
【００３０】
以上のように構成されるフロアマット１においては、ゴムシート２の上にゴムシート２のサイズに応じた所望のサイズのグラフィックシート１０を接合するので、ゴムシート２のサイズを大きくすることにより面積の制限無く文字や図案等の表示を行うことができる。
【００３１】
また、グラフィックシート１０がフォログラム層１４を有することにより、プリント層１２に描かれた図形や文字等の図案に対して光の干渉による視覚効果が与えられ、基材１１の上に描かれたプリント層１２の図案をより美観に優れたものとすることができる。
【００３２】
さらに、第２の樹脂層１５を形成する第２のコーティング剤である耐擦傷製コーティング剤は塗布ガンにより蜘蛛の巣状に噴射されてフォログラム層１４の上に付着するため、グラフィックシート１０の表面は多数の微小な凹凸を有するものとなり、しかも、第２の樹脂層１５にはシリコン又はフッソ、或はその両方が含有されているため、グラフィックシート１０の外表面が滑りにくくなってノンスリップ効果が高められ、フロアを往来する人の安全性を高めることができる。尚、フロアマット１の外表面のノンスリップ効果をさらに高めるには、上塗りトップコート層１５の上にガラスビーズを散布すればよい。
【００３３】
そして、グラフィックシート１０の外表面に露出する第２の樹脂層１５を形成する第２のコーティング剤としてシリコン、又はフッ素、或はその両方を含有した耐擦傷製コーティング剤を採用したため、グラフィックシート１０の外表面の耐摩擦製を高めることができる。
【００３４】
グラフィックシート１０はゴムシート２の上に加熱圧着によりの強固に接合されるため、従来の広告等の表示部分が着脱可能な状態で取り付けられているマットとは異なり、履物により踏みつけられても容易にゴムシートから剥離することがない。特に、加熱圧着が、グラフィックシート１０の上面とゴムシート２の上面の段差がない状態となるように行われた場合は、段差部分に靴底等が引っかかることがなく、躓きを防止することができるとともに、よりグラフィックシート１０をゴムシート２から剥離し難くすることができる。
【００３５】
以上、本考案に係るフロアマットの一実施形態について説明したが、本考案は、上記実施形態に制限されるものではなく、本考案の構成の範囲内において適宜変更を加えて実施することができる。
【００３６】
例えば、本実施の形態では、第１の樹脂層１３と第２の樹脂層１５の形成に際して２液性のウレタンコーティング剤を使用したが、紫外線硬化型の１液性のコーティング剤等の他の任意のコーティング剤を使用することもできる。またコーティング剤によらず、樹脂フィルム又は樹脂シートをプリント層１２やフォログラム層１４の上に配置することによっても第１の樹脂層１３又は第２の樹脂層１５を形成してもよい。
【００３７】
また、グラフィックシート１０とゴムシート２を接合する方法は加熱圧着に限定されず、種々の接着剤を用いて接合してもよく、縫製等の方法によって接合してもよい。
【産業上の利用可能性】
【００３８】
本考案に係るフロアマットは、各種店舗等において、屋内外で広告目的や顧客の誘導等を目的に各種グラビアや文字による情報等を表示する手段として利用することができる。
【符号の説明】
【００３９】
１    フロアマット
２    ゴムシート
１０  グラフィックシート
１１  基材
１２  プリント層
１３  第１の樹脂層
１４  フォログラム層
１５  第２の樹脂層
【図１】
0003151553.tif 000003
【図２】
0003151553.tif 000004